(57)【特許請求の範囲】
【請求項１】
マイクロプロセッサに基準とされるフェイズロックループ（ＰＬＬ）の周波数調整方法であって、
連続的に新周波数を探索する過制動のＰＬＬに制約されたスルーレートを準備するステップと、
前記マイクロプロセッサ用の現在ターゲット周波数を選択するステップと、
前記現在ターゲット周波数を前記過制動のＰＬＬに制約されたスルーレートの現在設定周波数と比較するステップと、
前記過制動のＰＬＬに制約されたスルーレートの現在設定周波数を前記現在ターゲット周波数にマッチさせるように調整するステップを含んでなり、
前記マイクロプロセッサ用の現在ターゲット周波数を選択する前記ステップは、
前記マイクロプロセッサ用の最大動作周波数を決定するステップと、
前記マイクロプロセッサ用の最小動作周波数を決定するステップと、
現在のシステムの要求が前記最大動作周波数であるなら前記最大動作周波数を選択するステップと、
前記現在のシステムの要求が前記最大動作周波数ではないなら前記最小動作周波数を選択するステップを含んでなるＰＬＬの周波数調整方法。
【請求項２】
請求項1の周波数調整方法において、
前記マイクロプロセッサ用の最大動作周波数の決定する前記ステップは、
前記マイクロプロセッサの絶対最大動作周波数を決定するステップと、
前記マイクロプロセッサの現在電圧に対する最大動作周波数を決定するステップと、
前記マイクロプロセッサの現在温度に対する最大動作周波数を決定するステップと、
需要家優先最大動作周波数を決定するステップと、
前記絶対最大動作周波数と前記現在電圧に対する最大動作周波数と前記現在温度に対する最大動作周波数と前記需要家優先最大動作周波数との相互間の最低周波数を選択するステップとを含んでなる周波数調整方法。
【請求項３】
請求項1の周波数調整方法において、
前記マイクロプロセッサ用の前記最小動作周波数の決定ステップは、
前記マイクロプロセッサ用の絶対最小動作周波数を決定するステップと、
前記マイクロプロセッサの現在電圧に対する最小動作周波数を決定するステップと、
前記マイクロプロセッサ用の需要家優先最小動作周波数を決定するステップと、
前記絶対最小動作周波数と前記現在電圧に対する最小動作周波数と前記需要家優先最小動作周波数との相互間の最大周波数を選択するステップとを含んでなる周波数調整方法。
【請求項４】
請求項1の周波数調整方法において、
前記現在設定周波数を調整する前記ステップは、更に、
次の周波数更新を判定するステップと、
該次の周波数更新時に、前記現在設定周波数が前記現在ターゲット周波数より小さければ、前記マイクロプロセッサに基準とされるＰＬＬのクロック発生器が変化を追跡し得るようにゆっくりと該現在設定周波数を増大させてやるステップと、
前記次の周波数更新時に、前記現在設定周波数が前記現在ターゲット周波数より大きければ、前記マイクロプロセッサに基準とされるＰＬＬのクロック発生器が変化を追跡し得るようにゆっくりと該現在設定周波数を低減してやるステップと、
前記現在設定周波数が前記現在ターゲット周波数より大きくも小さくもないなら該現在設定周波数を現在設定の儘放置するステップとを含んでなる周波数調整方法。
【請求項５】
マイクロプロセッサに基準とされるフェイズロックループ（ＰＬＬ）の周波数調整方法であって、
連続的に新周波数を探索する過制動のＰＬＬに制約されたスルーレートを準備するステップと、
前記マイクロプロセッサ用の絶対最大動作周波数を決定するステップと、
前記マイクロプロセッサの現在電圧に対する最大動作周波数を決定するステップと、
前記マイクロプロセッサの現在温度に対する最大動作周波数を決定するステップと、
需要家の最大動作周波数優先を決定するステップと、
前記絶対最大動作周波数と前記現在電圧に対する最大動作周波数と前記現在温度に対する最大動作周波数と前記需要家優先最大動作周波数との相互間の最低周波数選択によって前記マイクロプロセッサの最大動作周波数を決定するステップと、
前記マイクロプロセッサ用の絶対最小動作周波数を決定するステップと、
前記マイクロプロセッサの現在電圧に対する最低動作周波数を決定するステップと、
前記マイクロプロセッサ用の需要家優先最小動作周波数を決定するステップと、
前記絶対最小動作周波数と前記現在電圧に対する最小動作周波数と前記需要家優先最小動作周波数との相互間の最大周波数を選択することで前記マイクロプロセッサの最小動作周波数を決定するステップと、
現在のシステムの要求が前記最大動作周波数であるなら該最大動作周波数を選択するステップと、
現在のシステムの要求が前記最大動作周波数ではないなら前記最小動作周波数を選択するステップと、
次の周波数更新を判定するステップと、
現在設定周波数が現在ターゲット周波数より小さければ、前記マイクロプロセッサに基準とされるＰＬＬのクロック発生器が変化を追跡し得るようにゆっくりと前記現在設定周波数を増大させてやるステップと、
前記現在設定周波数が前記現在ターゲット周波数より大きければ、前記マイクロプロセッサに基準とされるＰＬＬのクロック発生器が変化を追跡し得るようにゆっくりと該現在設定周波数を低減してやるステップと、
前記現在設定周波数が前記現在ターゲット周波数より大きくも小さくもないなら該現在設定周波数を現在設定の儘放置するステップとを含んでなるＰＬＬの周波数調整方法。
【請求項６】
マイクロプロセッサに基準とされるフェイズロックループ（ＰＬＬ）のための周波数調整の可能なクロック制御回路であって、
連続的に新周波数を探索する過制動のＰＬＬに制約されたスルーレートと、
前記マイクロプロセッサ用の現在ターゲット周波数の選択手段と、
前記現在ターゲット周波数と前記過制動のＰＬＬに制約されたスルーレートの現在設定周波数との比較手段と、
前記現在ターゲット周波数にマッチさせるための前記過制動のＰＬＬに制約されたスルーレートの前記現在設定周波数の調整手段と、
前記現在ターゲット周波数の選択手段は、更に、
前記マイクロプロセッサ用の最大動作周波数の決定手段と、
前記マイクロプロセッサ用の最小動作周波数の決定手段と、
現在のシステムの要求が前記最大動作周波数であるなら該最大動作周波数を選択する手段と、
前記現在のシステムの要求が前記最大動作周波数ではないなら前記最小動作周波数を選択する手段とを組合せて含んでなるクロック制御回路。
【請求項７】
請求項６に記載のクロック制御回路において、
前記マイクロプロセッサ用の前記最大動作周波数の決定手段は、更に、
前記マイクロプロセッサの絶対最大動作周波数の決定手段と、
前記マイクロプロセッサの現在電圧に対する最大動作周波数の決定手段と、
前記マイクロプロセッサの現在温度に対する最大動作周波数の決定手段と、
需要家優先最大動作周波数の決定手段と、
前記絶対最大動作周波数と前記現在電圧に対する最大動作周波数と前記現在温度に対する最大動作周波数と前記需要家優先最大動作周波数との相互間の最低周波数の選択手段とを含んでなるクロック制御回路。
【請求項８】
請求項６に記載のクロック制御回路において、
前記マイクロプロセッサ用の最小動作周波数の前記決定手段は、更に、
前記マイクロプロセッサ用の絶対最小動作周波数の決定手段と、
前記マイクロプセセッサの現在電圧に対する最小動作周波数の決定手段と、
前記マイクロプロセッサ用の需要家優先最小動作周波数の決定手段と、
前記絶対最小動作周波数と前記現在電圧に対する最小周波数と前記需要家優先最小動作周波数との相互間の最大周波数の選択手段とを含んでなるクロック制御回路。
【請求項９】
請求項７に記載のクロック制御回路において、
前記現在設定周波数の前記調整手段が、更に、
次の周波数更新判定手段と、
前記次の周波数更新時に、前記現在設定周波数が前記現在ターゲット周波数より小さければ、前記マイクロプロセッサに基準とされるＰＬＬのクロック発生器が変化を追跡し得るようにゆっくりと該現在設定周波数を増大させる手段と、
前記次の周波数更新時に、前記現在設定周波数が前記現在ターゲット周波数より大きければ、前記マイクロプロセッサに基準とされるＰＬＬのクロック発生器が変化を追跡し得るようにゆっくりと該現在設定周波数を低減する手段と、
前記現在設定周波数が前記現在ターゲット周波数より大きくも小さくもないならば、該現在設定周波数を現在設定の儘放置する手段とを含んでなるクロック制御回路。
【請求項１０】
マイクロプロセッサに基準とされるフェイズロックループ（ＰＬＬ）のための周波数調整の可能なクロック制御回路であって、
連続的に新周波数を探索する過制動のＰＬＬに制約されたスルーレートと、
前記マイクロプロセッサの絶対最大動作周波数の決定手段と、
前記マイクロプロセッサの現在電圧に対する最大動作周波数の決定手段と、
前記マイクロプロセッサの現在温度に対する最大動作周波数の決定手段と、
需要家優先最大動作周波数の決定手段と、
前記絶対最大動作周波数と前記現在電圧に対する最大動作周波数と前記現在温度に対する最大動作周波数と前記需要家優先最大動作周波数との相互間の最低周波数選択による前記マイクロプロセッサの最大動作周波数の決定手段と、
前記マイクロプロセッサ用の絶対最小動作周波数の決定手段と、
前記マイクロプロセッサの現在電圧に対する最小動作周波数の決定手段と、
前記マイクロプロセッサ用の需要家優先最小動作周波数の決定手段と、
前記絶対最小動作周波数と前記現在電圧に対する最小動作周波数と前記需要家優先最小動作周波数との相互間の最高周波数選択による前記マイクロプロセッサ用の最小動作周波数の決定手段と、
前記現在システムの要求が前記最大動作周波数であるなら該最大動作周波数を選択する手段と、
前記現在システムの要求が前記最大動作周波数ではないなら前記最小動作周波数を選択する手段と、
次の周波数更新の判定手段と、
前記現在設定周波数が前記現在ターゲット周波数より小さければ、前記マイクロプロセッサに基準とされるＰＬＬのクロック発生器が変化を追跡し得るようにゆっくりと該現在設定周波数を増大させる手段と、
前記現在設定周波数が前記現在ターゲット周波数より大きければ、前記マイクロプロセッサに基準とされるＰＬＬのクロック発生器が変化を追跡し得るようにゆっくりと該現在の設定周波数を低減する手段と、
前記現在設定周波数が前記現在ターゲット周波数より大きくも小さくもないなら該現在設定周波数を現在設定の儘放置する手段とを組合せて含んでなるクロック制御回路。
【発明の詳細な説明】
【０００１】
【発明の属する技術分野】
本発明は一般にはマイクロプロセッサに基準とされるフェイズロックループ（ＰＬＬ）に係り、特にマイクロプロセッサに基準とされるＰＬＬの周波数調整を行うマイクロプロセッサクロック制御回路及び調整方法に関する。
【０００２】
【従来の技術】
内部にＰＬＬを有するマイクロプロセッサが従来から使用されている。
【０００３】
【発明が解決しようとする課題】
内部にＰＬＬを有するマイクロプロセッサは電力管理に関する独特の課題を示す。このタイプのプロセッサの周波数を変更するためには以下の要求が満足されなければならない。即ち、ストップクロックの主張とストップ認可サイクル間の待機、マイクロプロセッサの周波数変更、及び一般には１ｍｓを要する新周波数への鎖錠のためのマイクロプロセッサ内部のＰＬＬ待ちである。
【０００４】
マイクロプロセッサの周波数変更のための上記手順は幾つかの理由で最適ではない。第１に、新周波数への鎖錠のためのマイクロプロセッサ内部ＰＬＬに掛かる１ｍｓの待機の間にも電力は消費されるが仕事は何もなされない。第２に、割込みや直接メモリアクセス（ＤＭＡ）潜状の発行が、例えばデータ消失、データ不純化、或いはシステム故障すら発生させる。第３に、ＰＬＬの鎖錠時間はクロック制御に過度に用心深い電力管理を要求する要因となる逆効果を有している。例えば、システムがマイクロプロセッサを最大周波数で走らせていると仮定しよう。マイクロプロセッサが低電力状態に入るのを望まれた時、システムは１ｍｓの潜伏を我慢できなければならない。最悪ケースの状態では、潜伏は、１ｍｓのＰＬＬ再鎖錠時間の存在を仮定すると、２ｍｓ以上になる。プロセッサが最大周波数で運転され、ハード或いはソフトによりクロックを遅らせる判定が下されると仮定しよう。クロックを遅らせる工程がスタートすると同時にシステム状態が変化し、この状態がシステムを最大周波数に戻すよう要求する。この場合、マイクロプロセッサはクロック速度変更の工程を開始するであろう。クロック速度が変化した後１ｍｓの遅れがＰＬＬ再鎖錠時間として必要となる。ＰＬＬ再鎖錠時間後マイクロプロセッサが運転を再開すると、マイクロプロセッサは、周波数を変更する新しいデマンドが作られていることを発見するであろう。割り込み、システム管理割り込み（ＳＭＩ）、或いはソフトウエアポーリングによって起こるこの発見は、新しいより遅いマイクロプロセッサ速度の状態で発生するであろう。クロック変更に要する１ｍｓの遅れの間に追加のデータ及び／又は作業が累積されてしまっていると云うことも起り得る。システムを最大周波数に戻すのに追加の１ｍｓが必要である。この動作のインパクトは、それ故、２ｍｓのデッドタイム、プラス、より遅いマイクロプロセッサ速度での数コマンドの実行と云うことになる。
【０００５】
それ故、この要求を克服し得る改良形のマイクロプロセッサ又は既存のマイクロプロセッサに対する外部回路の提供のニーズが存在する。改良形マイクロプロセッサ又はマイクロプロセッサクロック制御回路は、現在のシステム動作条件を基礎にして連続的にその周波数を調整する能力を有しなければならない。
【０００６】
本発明の１つの目的は改良されたマイクロプロセッサクロック制御回路とその調整方法を提供することである。
【０００７】
本発明の他の１つの目的は現在のシステム動作条件を基礎にした連続的な周波数調整の能力を有する改良されたマイクロプロセッサクロック制御回路とその調整方法を提供することである。
【０００８】
【課題を解決するための手段】
本発明の１実施例に従ってマイクロプロセッサの周波数調整方法が開示される。この方法は、連続的に新周波数探索をする過制動のフェイズロックループ（ＰＬＬ）に制約されたスルーレートを準備するステップと、マイクロプロセッサ用の現在ターゲット周波数を選択するステップと、現在ターゲット周波数をマイクロプロセッサの現在設定周波数と比較するステップと、マイクロプロセッサの現在設定周波数を現在ターゲット周波数にマッチさせるように調整するステップと、を備える。
【０００９】
本発明の他の１実施例に従ってマイクロプロセッサに基準とされるＰＬＬ周波数調整用のマイクロプロセッサクロック制御回路が開示される。このマイクロプロセッサクロック制御回路は、連続的に新周波数探索をする過制動のＰＬＬに制約されたスルーレートと、マイクロプロセッサ用の現在ターゲット周波数の選択手段と、現在ターゲット周波数とマイクロプロセッサの現在設定周波数との比較手段と、現在ターゲット周波数にマッチさせるマイクロプロセッサ現在設定周波数の調整手段と、を備える。
【００１０】
本発明の前記その他の目的、特徴、及び効果は以下の記述、特に添付図面に図解する本発明の好適な実施例の記述から明らかになるであろう。
【００１１】
【発明の実施の形態】
図１を参照すると、マイクロプロセッサクロック制御回路の単純化ブロックダイアグラム１０が示されている。マイクロプロセッサクロック制御回路１０はＰＬＬ１２と、現在ターゲット周波数を選択する選択手段１４と、マイクロプロセッサクロック制御回路１０の現在設定周波数と選択された現在ターゲット周波数とを比較する比較手段１６と、選択された現在ターゲット周波数にマッチさせるためのマイクロプロセッサクロック制御回路１０の現在設定周波数の調整手段１８とを備える。
【００１２】
現在ターゲット周波数選択手段１４はマイクロプロセッサ４８に基準とされるＰＬＬの現在ターゲット周波数決定のための多変数を監視する。監視される多変数はマイクロプロセッサ４８の温度及び／又は操作電圧を含んでいる。マイクロプロセッサ４８の操作電圧は本発明の一部として制御乃至は監視され得る。
【００１３】
現在ターゲット周波数選択手段１４は、３部分から成る。第１部分はマイクロプロセッサ４８用の最大動作周波数を決定する。この第１部分は、固定した値のマイクロプロセッサの絶対最大動作周波数の決定手段２０、マイクロプロセッサの現在電圧に対する最大動作周波数の決定手段２２、マイクロプロセッサの現在温度に対する最大動作周波数の決定手段２４、及び需要家優先最大動作周波数の決定手段２６を備える。最大動作周波数決定手段の各々は１つの出力を有し、この出力は最大動作周波数選択手段２８に結合される。最大動作周波数選択手段２８は、最大動作周波数を選択するが、この最大動作周波数はマイクロプロセッサの絶対最大動作周波数とマイクロプロセッサ現在電圧に対する最大動作周波数とマイクロプロセッサ現在温度に対する最大動作周波数と需要家優先最大動作周波数との相互間の最低周波数である。
【００１４】
現在ターゲット周波数選択手段１４の第２部分はマイクロプロセッサ４８用の最小動作周波数を決定する。この第２部分は、固定した値のマイクロプロセッサの絶対最小動作周波数の決定手段３０、マイクロプロセッサ現在電圧に対する最小動作周波数の決定手段３２、及び需要家優先最小動作周波数の決定手段３４を備える。マイクロプロセッサ４８用の最小動作周波数決定手段の各々は１つの出力を有し、この出力は最小動作周波数選択手段３６に結合される。最小動作周波数選択手段３６は最小動作周波数を選択するが、この最小動作周波数は、マイクロプロセッサの絶対最小動作周波数とマイクロプロセッサ現在電圧に対する最小動作周波数と需要家優先最小動作周波数との相互間の最大周波数である。
【００１５】
現在ターゲット周波数選択手段１４の第３部分は最大動作周波数又は最小動作周波数の選択手段３８である。最大動作周波数又は最小動作周波数の選択手段３８は最大動作周波数か最小動作周波数かを選ぶための入力４０に結合されている。この入力４０は典型的には（図示されていない）ディジタル源で制御され、このディジタル源は異なるシステム条件の変動範囲を勘案した後に最大動作周波数か最小動作周波数かを選択することになろう。一度周波数が選択されるとこの周波数がマイクロプロセッサ４８用の現在ターゲット周波数になる。一般論として、どのようなシステム動作も現在ターゲット周波数に最大動作周波数を選択させる要因となるであろう。
【００１６】
最大・最小動作周波数選択手段３８の出力は、現在の設定・ターゲット両周波数比較手段１６に結合される。この比較手段１６は、マイクロプロセッサクロック制御回路１０の現在設定周波数と最大・最小動作周波数選択手段３８によって選択された現在ターゲット周波数とを比較する。
【００１７】
現在の設定・ターゲット両周波数比較手段１６の出力は、現在設定周波数調整手段１８に結合される。現在設定周波数調整手段１８は、最大・最小動作周波数選択手段３８によって選択された現在ターゲット周波数にマッチさせるようにマイクロプロセッサクロック制御回路１０の現在設定周波数を調整する。現在設定周波数調整手段１８は次の周波数更新判定手段４２と、ＰＬＬ周波数制御調整手段４４とを備える。
【００１８】
次の周波数更新判定手段４２は一般には１ｓ以下のインターバルで周期的に周波数を更新する。現在の設定・ターゲット両周波数比較手段１６からの出力がマイクロプロセッサクロック制御回路１０の現在設定周波数と現在ターゲット周波数とが等しいことを示すのであれば、次の周波数更新判定手段４２が現在周波数の更新判定をしてもＰＬＬ周波数制御調整手段４４はマイクロプロセッサクロック制御回路１０の現在設定周波数を変えないであろう。現在の設定・ターゲット両周波数比較手段１６からの出力がマイクロプロセッサクロック制御回路１０の現在設定周波数と現在ターゲット周波数とが等しくないことを示すのであれば、次の周波数更新判定手段４２が現在周波数の更新判定をするとＰＬＬ周波数制御調整手段４４はマイクロプロセッサクロック制御回路１０の現在設定周波数を現在ターゲット周波数にマッチするように変えるであろう。
【００１９】
現在設定周波数調整手段１８の出力はＰＬＬ１２に結合される。ＰＬＬ１２はマイクロプロセッサ４８に結合される。マイクロプロセッサクロック制御回路の周波数変更によってマイクロプロセッサ４８の周波数も又現在ターゲット周波数にマッチするよう変えられるであろう。マイクロプロセッサ現在設定周波数は、（図示していない）マイクロプロセッサ内部のクロック発生器に基準とされるＰＬＬが変化を追跡し得るように非常にゆっくりと変えられなければならない。マイクロプロセッサ４８のＰＬＬが変化を追跡し得ることを保証するためには、マイクロプロセッサクロック制御回路１０のＰＬＬ１２は（図示されていない）マイクロプロセッサ内部のＰＬＬよりも更に安定であるべきことに注目すべきである。好適な実施例では、マイクロプロセッサ４８の内部ＰＬＬはマイクロプロセッサクロック制御回路１０と共に一緒に過制動のＰＬＬに制約されるスルーレートのものである。
【００２０】
ＰＬＬ１２に結合されたＰＬＬ周波数制御調整手段４４は、マイクロプロセッサクロック制御回路１０が現在の動作条件にマッチするように現在設定周波数を調整することを許容している。過制動のＰＬＬに制約されたスルーレートを使用するマイクロプロセッサ４８の周波数及び電圧のマッチング方法は、現在の動作条件に対して得られるべき最大周波数を許容することになる。典型的には、最大周波数は、システムが最高温度以下で最大電圧に達している時に達成されるべきものであろう。本発明は、両者共最高値ではない典型的な動作時の値にある電圧と温度の条件においてシステムが最大周波数で動作することを許容する。過制動のＰＬＬに制約されたスルーレートを使用するマイクロプロセッサ４８の周波数及び電圧のマッチング方法は、又、現在周波数に対する最低動作電圧をも許容する。典型的には操作電圧は最大周波数での動作を保証する固定値に設定される。システム周波数が下げられるとき電圧も又下げられ得る。そしてその結果相乗された電力節減をもたらす。電力節減は次式を基準とするものになる。即ち、Ｐ＝Ｐ１−Ｐ２ここにＰは節減電力であり、Ｐ１は現在設定値での電力であり、Ｐ２は新設定値での電力である。
【００２１】
Ｐ１＝Ｖ１2＊ｆ１ここにＶ１は現在設定電圧であり、ｆ１は現在設定周波数である。
【００２２】
Ｐ２＝Ｖ２2＊ｆ２ここにＶ２は新設定電圧であり、ｆ２は新設定周波数である。
【００２３】
電力管理をするシステムでは、これが実質的な電力節減の結果を生むであろう。周波数と電圧との両方が制御されるとき、電圧が周波数上昇に先行して上昇され得るし、周波数は電圧低減に先行して低減され得る。これが現在電圧に対する早過ぎる周波数での運転のないことを保証し、結果として更なる電力節減に資することになる。
【００２４】
本発明は、特にその好適な実施例を引用して図示され記述されているので、本発明の範囲及び精神を逸脱することなく形態及び詳細における前記及びその他の変更が可能であることは当業者には理解され得るであろう。
【００２５】
【発明の効果】
制御サイクル毎に電圧・温度・需要家優先周波数の現在値を基準にした最大及び最小周波数からの現在のターゲットを常に設定し、次の周波数更新判定に基づいて過制動のＰＬＬに制約されたスルーレートで設定周波数をターゲット周波数に一致するように常時調整し得る回路により、現在のシステム動作条件を基礎にした連続的な周波数調整の能力を有する改良型のマイクロプロセッサクロック制御回路とその調整方法とを提供することが可能になった。
【図面の簡単な説明】
【図１】本発明によるマイクロプロセッサクロック制御回路の単純化ブロックダイアグラムである。
【符号の説明】
１０ マイクロプロセッサクロック制御回路の単純化ブロックダイアグラム
１２  ＰＬＬ
１４ 現在ターゲット周波数選択手段
１６ 現在の設定・ターゲット両周波数比較手段
１８ 現在設定周波数調整手段
２０ 絶対最大周波数決定手段
２２ 現在電圧に対する最大周波数決定手段
２４ 現在温度に対する最大周波数決定手段
２６ 需要家優先最大動作周波数の決定手段
２８ 最大動作周波数選択手段
３０ 絶対最小周波数決定手段
３２ 現在電圧に対する最小周波数決定手段
３４ 需要家優先最小動作周波数の決定手段
３６ 最小動作周波数選択手段
３８ 最大・最小動作周波数選択手段
４０ 入力
４２  次の周波数更新判定手段
４４  ＰＬＬ周波数制御調整手段
４８  マイクロプロセッサに基準とされるＰＬＬ
【図１】
0003906395.tif 000002